(57)【要約】【課題】表示装置のチルト動作による、表示装置と電子ビューファインダとの干渉を抑制可能な電子機器を提供すること。【解決手段】本体ユニットと、第１の表示ユニットと、第２の表示ユニットと、を有し、第１の表示ユニットは、本体ユニットに対してスライド動作が可能であり、本体ユニットは、本体ユニットと第１の表示ユニットが重なった状態にて、本体ユニットと第１の表示ユニットが重なった領域の内部に第２の表示ユニットを収納しており、第２の表示ユニットは、第１の表示ユニットが本体ユニットに対してスライド動作して第１の表示ユニットが存在しなくなった領域に向かい、本体ユニットの内部から突出する。【選択図】図１０
2018148554.tif 000002
【特許請求の範囲】
【請求項１】
本体ユニットと、
第１の表示ユニットと、
第２の表示ユニットと、を有し、
前記第１の表示ユニットは、前記本体ユニットに対してスライド動作が可能であり、
前記本体ユニットは、前記本体ユニットと前記第１の表示ユニットが重なった状態にて、前記本体ユニットと前記第１の表示ユニットが重なった領域の内部に前記第２の表示ユニットを収納しており、
前記第２の表示ユニットは、前記第１の表示ユニットが前記本体ユニットに対してスライド動作して前記第１の表示ユニットが存在しなくなった領域に向かい、前記本体ユニットの内部から突出することを特徴とする電子機器。
【請求項２】
前記第２の表示ユニットは、前記第１の表示ユニットの前記本体ユニットに対するスライド動作に連動して、前記第１の表示ユニットが前記本体ユニットに対して前記スライド動作して前記第１の表示ユニットが存在しなくなった領域に向かい、前記本体ユニットの内部から突出することを特徴とする請求項１に記載の電子機器。
【請求項３】
前記第１の表示ユニットは、前記本体ユニットに対してスライド動作した後、前記本体ユニットの内部から突出している状態の前記第２の表示ユニットに近づくように前記本体ユニットに対してチルト動作した場合、前記第２の表示ユニットに接触しないことを特徴とする請求項１または２に記載の電子機器。
【請求項４】
前記第１の表示ユニットは、前記本体ユニットに対してスライド動作した後、前記本体ユニットの内部から突出している状態の前記第２の表示ユニットに近づくように前記本体ユニットに対してチルト動作した場合、前記第２の表示ユニットに接触する前に、前記本体ユニットに当接することを特徴とする請求項３に記載の電子機器。
【請求項５】
前記第１の表示ユニットは、前記本体ユニットに対してスライド動作した後、前記本体ユニットの内部から突出している状態の前記第２の表示ユニットに近づくように前記本体ユニットに対してチルト動作した場合に前記第２の表示ユニットに接触しない位置で係止されることを特徴とする請求項３に記載の電子機器。
【請求項６】
前記本体ユニットと前記第１の表示ユニットとを連結する連結ユニットを更に有し、
前記第１の表示ユニットは、前記連結ユニットを介して、前記本体ユニットに対する、チルト動作およびスライド動作が可能であり、
前記本体ユニットおよび前記連結ユニットの少なくとも一方には、規制部材が設けられ、
スライド動作している状態の前記第１の表示ユニットがチルト動作した場合、前記規制部材は、前記第１の表示ユニットが前記第２の表示ユニットに接触する前に、前記第１の表示ユニットに当接することを特徴とする請求項３に記載の電子機器。
【請求項７】
前記本体ユニットは、第１の所定値より大きい磁束を検出することで、前記第１の表示ユニットの表示を停止させ、前記第２の表示ユニットの表示を開始させる第１の検出手段を備え、
前記第１の検出手段は、前記第１の表示ユニットが収納位置から所定量より大きい距離だけスライド動作した場合、前記第１の表示ユニットに設けられた磁石によって前記第１の所定値より大きい磁束を検出することを特徴とする請求項６に記載の電子機器。
【請求項８】
前記規制部材は、前記本体ユニットの背面側から突出する突起部であることを特徴とする請求項６または７に記載の電子機器。
【請求項９】
前記第１の表示ユニットは、前記第１の表示ユニットの周囲を覆い、前記第１の表示ユニットを保護する保護部材を備え、
前記保護部材は、スライド動作している状態の前記第１の表示ユニットがチルト動作した場合に前記規制部材に当接する被当接部を備えることを特徴とする請求項６から８のいずれか１項に記載の電子機器。
【請求項１０】
スライド動作している状態の前記第１の表示ユニットがチルト動作し、前記規制部が前記第１の表示ユニットに当接した場合に、前記第１の表示ユニットの最下面が前記本体ユニットの底面より上に位置することを特徴とする請求項６から９のいずれか１項に記載の電子機器。
【請求項１１】
前記本体ユニットは、係合部材と、前記係合部材を付勢する付勢部材と、を備え、
前記第１の表示ユニットは、磁石を備え、
前記第１の表示ユニットが、下方に第１の角度より小さい角度でチルト動作した場合、または上方に第２の角度より小さい角度でチルト動作した場合、前記係合部材は、前記磁石の吸引力により前記第１の表示ユニットの側に移動し、
前記第１の表示ユニットが、下方に前記第１の角度より大きい角度でチルト動作した場合、または上方に前記第２の角度より大きい角度でチルト動作した場合、前記係合部材は、前記磁石の吸引力と反対方向の前記付勢部材の付勢力により前記本体ユニットの側に移動していることを特徴とする請求項６から１０のいずれか１項に記載の電子機器。
【請求項１２】
前記第１の表示ユニットがチルト動作していない場合、前記係合部材は、前記磁石の吸引力により前記第１の表示ユニットの側に移動していることを特徴とする請求項１１に記載の電子機器。
【請求項１３】
前記連結ユニットは、前記第１の表示ユニットに保持され、前記第１の表示ユニットとともにスライド動作を行う第１スライド部材を備え、
前記係合部材は、前記磁石の吸引力により前記第１の表示ユニットの側に移動している間、前記第１の表示ユニットとともにスライド動作を行うように、前記第１スライド部材に係合していることを特徴とする請求項１１または１２に記載の電子機器。
【請求項１４】
前記本体ユニットは、第２の所定値より大きい磁束を検出することで、前記第１の表示ユニットの表示画像の向きを変更する第２の検出手段を備え、
前記第２の検出手段は、前記表示ユニットが第３の角度より大きい角度でチルト動作した場合、前記第１の表示ユニットに設けられた磁石によって前記第２の所定値より大きい磁束を検出することを特徴とする請求項６から１３のいずれか１項に記載の電子機器。
【請求項１５】
前記本体ユニットと前記第１の表示ユニットとを連結する連結ユニットを更に有し、
前記第１の表示ユニットは、前記連結ユニットを介して、前記本体ユニットに対する、チルト動作およびスライド動作が可能であり、
前記第１の表示ユニットの前記連結ユニットに対するスライド量は、前記第１の表示ユニットがチルト動作した場合に前記本体ユニットの内部から突出している状態の前記第２の表示ユニットに接触することを防止するように設定されていることを特徴とする請求項５に記載の電子機器。
【請求項１６】
前記連結ユニットは、前記本体ユニットに保持されている第１ヒンジ部材と、前記第１ヒンジ部材に回動可能に保持されている第２ヒンジ部材と、を備え、
前記第１の表示ユニットは、前記第２ヒンジ部材にスライド可能に保持されていることを特徴とする請求項１５に記載の電子機器。
【請求項１７】
前記第１ヒンジ部材は、前記本体ユニットに対してチルト動作可能であることを特徴とする請求項１６に記載の電子機器。
【請求項１８】
前記第１の表示ユニットは、第１の付勢手段を備え、
前記第２ヒンジ部材は、第２の付勢手段を備え、
前記第１の付勢手段および前記第２の付勢手段は、前記第１の表示ユニットを、前記本体ユニットに収納されている位置およびスライド動作した位置で停止するように付勢することを特徴とする請求項１５から１７のいずれか１項に記載の電子機器。
【請求項１９】
前記第１の表示ユニットと前記本体ユニットの内部に設けられている電子基板とを接続するためのフレキシブルプリント基板と、
前記フレキシブルプリント基板に接触し、前記第１の表示ユニットの内部にスライド動作可能に保持されている第２スライド部材と、
前記第２スライド部材を所定の方向へ付勢する第３の付勢手段と、を更に有し、
前記フレキシブルプリント基板は、前記第２スライド部材によって前記所定の方向へテンションが加わるように配置されており、
前記フレキシブルプリント基板は、前記第１の表示ユニットが前記本体ユニットに収納されている位置とスライド動作した位置との間を移動する間、テンションが加えられていることを特徴とする請求項１５から１８のいずれか１項に記載の電子機器。
【発明の詳細な説明】
【技術分野】
【０００１】
本発明は、電子機器に関する。
【背景技術】
【０００２】
特許文献１には、本体部に対して表示装置をスライドさせることで、電子ビューファインダを使用可能となるように露出させるデジタルカメラが開示されている。
【先行技術文献】
【特許文献】
【０００３】
【特許文献１】特開２００１−１２８０３５号公報
【発明の概要】
【発明が解決しようとする課題】
【０００４】
従来、非使用時には装置本体に収納され、使用時には装置本体から突出する電子ビューファインダが知られている。しかしながら、特許文献１には、使用時に電子ビューファインダが突出することについては開示されていない。また、特許文献１には、表示装置をスライドさせた後、チルトさせることについて開示されていない。仮に、特許文献１に開示された構成において、電子ビューファインダが突出した状態で、表示装置をチルトさせると、表示装置と電子ビューファインダが干渉してしまう。
【０００５】
このような課題に鑑みて、本発明は、表示装置のチルト動作による、表示装置と電子ビューファインダとの干渉を抑制可能な電子機器を提供することを目的とする。
【課題を解決するための手段】
【０００６】
本発明の一側面としての電子機器は、本体ユニットと、第１の表示ユニットと、第２の表示ユニットと、を有し、前記第１の表示ユニットは、前記本体ユニットに対してスライド動作が可能であり、前記本体ユニットは、前記本体ユニットと前記第１の表示ユニットが重なった状態にて、前記本体ユニットと前記第１の表示ユニットが重なった領域の内部に前記第２の表示ユニットを収納しており、前記第２の表示ユニットは、前記第１の表示ユニットが前記本体ユニットに対してスライド動作して前記第１の表示ユニットが存在しなくなった領域に向かい、前記本体ユニットの内部から突出することを特徴とする。
【発明の効果】
【０００７】
本発明によれば、表示装置のチルト動作による、表示装置と電子ビューファインダとの干渉を抑制可能な電子機器を提供することができる。
【図面の簡単な説明】
【０００８】
【図１】本発明の実施形態に係る電子機器の一例である撮像装置の斜視図である。
【図２】表示装置の動作説明図である（実施例１）。
【図３】表示装置の展開斜視図である（実施例１）。
【図４】ヒンジ装置の説明図である（実施例１）。
【図５】ヒンジ装置の回転動作の説明図である（実施例１）。
【図６】電子ビューファインダの支持構成の説明図である（実施例１）。
【図７】電子ビューファインダの動作説明図である（実施例１）。
【図８】表示装置をチルト動作させた場合のレバーの挙動の説明図である（実施例１）。
【図９】表示装置を動作させた場合の表示装置の表示切り替え方法の説明図である（実施例１）。
【図１０】下方にスライドしている状態の表示装置を上方にチルトさせる場合の挙動の説明図である（実施例１）。
【図１１】突起部の位置を上下に調整した場合の表示装置の挙動の説明図である（実施例１）。
【図１２】下方にスライドしている状態の表示装置を上方にスライドさせる場合の挙動の説明図である（実施例１）。
【図１３】表示装置の動作説明図である（実施例２）。
【図１４】表示装置の展開斜視図である（実施例２）。
【図１５】ヒンジ装置の展開斜視図である（実施例２）。
【図１６】ヒンジ装置の一部を拡大した図である（実施例２）。
【図１７】表示装置の動作範囲の説明図である（実施例２）。
【図１８】スライド機構の動作説明図である（実施例２）。
【図１９】表示装置の回転軌跡を表した断面図である（実施例２）。
【図２０】スライダー機構の動作説明図である（実施例２）。
【図２１】スライダー機構の断面図である（実施例２）。
【図２２】スライダー機構の構成説明図である（実施例２）。
【発明を実施するための形態】
【０００９】
以下、本発明の実施例について、図面を参照しながら詳細に説明する。各図において、同一の部材については同一の参照番号を付し、重複する説明は省略する。
【００１０】
図１を参照して、本発明の実施形態に係る電子機器の一例である撮像装置１の構成について説明する。図１は、撮像装置１の斜視図である。図１（ａ）および図１（ｂ）はそれぞれ、撮像装置１の正面斜視図および背面斜視図である。
【００１１】
撮像装置１は、撮像光学系（不図示）を備える鏡筒ユニット２およびＣＣＤやＣＭＯＳイメージセンサ等で構成され、撮像光学系を介して結像された被写体の光学像を光電変換して画像データを生成する撮像素子（不図示）を備える。鏡筒ユニット２は、沈胴式で、収納時は撮像装置１の内部に沈胴する。また、撮像装置１には、撮像素子で生成された画像データをデジタル情報に変換する処理回路を載せた主基板（不図示）や補助基板（不図示）等が実装されている。
【００１２】
ストロボ装置３は、撮像装置１に内蔵されており、撮影時に被写体の明るさが不足している場合に、自動的にせり上がり発光窓を露出させ、発光する。
【００１３】
レリーズボタン４は、半押し状態（ＳＷ１がＯＮの状態）、および全押し状態（ＳＷ２がＯＮの状態）の２段階の押圧操作が可能である。レリーズボタン４が半押し操作されると、撮影準備動作（測光動作や焦点検出動作等）が開始される。レリーズボタン４が全押し操作されると、被写体が撮影され、記録媒体（不図示）に被写体像の画像データが記録される。
【００１４】
ズームレバー５は、レリーズボタン４の外周に回転可能に保持されている。ズームレバー５が一方に回転操作されると、Ｔｅｌｅ側（画角が狭くなる方向）へのズーム動作が行われ、他方に回転操作されると、Ｗｉｄｅ側（画角が広がる方向）へのズーム動作が行われる。
【００１５】
電源ボタン６は、撮影者によって押下されると、撮像装置１が非使用状態であるオフ状態から使用可能な状態であるオン状態に、またはオン状態からオフ状態に切り替えられる。
【００１６】
マイク穴７は、撮像装置１に内蔵されたマイクに音声を取り込むために、集音性を考慮して撮像装置１の上方に設けられている。
【００１７】
モード設定ダイヤル８は、撮像装置１に対して回転可能に支持されている。モード設定ダイヤル８の天面には、各種の撮影モードに応じた複数のアイコン（不図示）が印刷されており、このアイコンを撮像装置１に設けられた指標（不図示）に合わせることで、アイコンに応じた各種モ−ド等の設定を行うことができる。
【００１８】
また、撮像装置１には、電源となる主電池（不図示）、および撮影された被写体像を記録する記録媒体（不図示）が内蔵されている。主電池は使い切り式の一次電池でもよいし、充電式の二次電池でもよい。
【００１９】
撮像装置１の側面には電源や信号の入出力用ジャック（不図示）が設けられ、ジャック保護用のジャックカバー１１で覆われている。ジャックカバー１１が開けられると入出力用ジャックが露出し、各種ケーブル類の抜き差しが可能となる。
【００２０】
操作ボタン群１２は複数の操作ボタンから構成され、中央には十字ボタンが配置されている。操作ボタン群１２の各操作ボタンは、撮影条件の変更や再生画面への切り換えといった各種指示を入力する際に利用される。
【００２１】
表示装置（第１の表示ユニット）２０は、撮像装置１の背面に設けられ、撮影する被写体像の確認や、撮影画像の再生表示のために用いられる。表示装置２０としては、例えば、液晶ディスプレイ２２が用いられる。表示装置２０は、ヒンジ装置（連結ユニット）３０を介して、スライド動作およびチルト動作を行うことができるように、撮像装置本体（本体ユニット）に取り付けられている。
【実施例１】
【００２２】
図２を参照して、表示装置２０の動作について説明する。図２は、表示装置２０の動作説明図である。
【００２３】
図２（ａ）は、表示装置２０が撮像装置１に収納された状態を示している。この状態において、撮影者は、正面の被写体を撮影したり、撮影画像の再生表示をしたりすることができる。
【００２４】
図２（ｂ）は、表示装置２０を下方にスライドさせた状態を示している。この状態において、撮影者は、電子ビューファインダ（第２の表示ユニット）５０を使用することができる。表示装置２０を下方にスライドさせることによって、電子ビューファインダ５０は表示装置２０が存在しなくなった領域に向かうことで、撮像装置１の本体に収まる収納位置から使用可能な位置（使用位置）に突出する。電子ビューファインダ５０は、小型ディスプレイ、レンズ、および接眼窓５１を備えている。撮影者は、接眼窓５１を介して電子ビューファインダ５０を覗くことで、撮影する被写体像の確認をしたり、撮影画像を確認したりすることができる。
【００２５】
図２（ｃ）は、表示装置２０を上方に１８０度だけチルトさせた状態を示している。この状態では、表示装置２０の表示面が被写体側に向けられ、撮影者は、自分撮り撮影を行い易くなる。表示装置２０は、撮像装置本体に対して、図２（ａ）の状態と図２（ｃ）の状態との間の任意の角度となるように調整される。このような調整は、主に撮影者が撮像装置１を低く構えて被写体を撮影する場合に行われる。
【００２６】
図２（ｄ）は、表示装置２０を下方に４５度だけチルトさせた状態を示している。この状態は、主に撮影者が撮像装置１を高く構えて撮影する場合に用いられる。
【００２７】
以上説明したように、撮影者に対する撮像装置１の位置が変化した場合であっても、表示装置２０をチルトさせることで表示装置２０の表示面を撮影者の方に向けることが可能となり、撮影者は最適な状態で表示装置２０を視認することが可能となる。
【００２８】
次に、図３を参照して、表示装置２０の構成について説明する。図３は、表示装置２０の展開斜視図である。図３には、説明を分かり易くするために撮像装置本体１０およびヒンジ装置３０も表示されている。
【００２９】
表示装置２０は、保護窓２１、撮影者が触れることで入力操作が行われる静電容量方式等のタッチパネル（不図示）、液晶ディスプレイ２２、および保護カバー（保護部材）２３等を備える。
【００３０】
保護窓２１は、外形が液晶ディスプレイ２２の外形よりも大きく、液晶ディスプレイ２２およびタッチパネルをキズ・汚れから保護するパネルである。本実施例では、保護窓２１として、厚さが０．５〜１．０ｍｍ程度の強化ガラスを用いているが、光線透過率の高いアクリル樹脂やポリカーボネイト等の透明樹脂を用いてもよい。
【００３１】
保護窓２１は、タッチパネルおよび液晶ディスプレイ２２と一体の状態で、外周に沿って形成されたロの字型の両面テープ２４によって保護カバー２３に接着されている。保護カバー２３は、表示装置２０の周囲を覆い、表示装置２０を保護する外観部品である。保護カバー２３の表面には、塗装処理またはシボ加工が施されている。両面テープ２４の接着強度は、落下等の衝撃による保護窓２１の浮き上がりや剥がれによる割れを防止するために、高く、衝撃に強いほうが望ましい。
【００３２】
タッチパネルは、静電容量方式であり、タッチパネルの配線は、透明導電膜であるＩＴＯ（Ｉｎｄｉｕｍ  Ｔｉｎ  Ｏｘｉｄｅ）によって形成される。タッチパネルは、一般にはガラスで形成されるが、透明であり、ＩＴＯのアニール等の温度に耐えることが可能であれば樹脂材料で形成されてもよい。透明樹脂材料として、例えば、アクリル樹脂やポリカーボネイト樹脂等を使用することができる。
【００３３】
液晶ディスプレイ２２の背面には、基板６１が両面テープ（不図示）によって貼付固定されている。基板６１は、基板６１上に実装されたコネクタ６３を介して、液晶ディスプレイ２２に設けられたフレキシブルプリント基板２２ａに接続される。
【００３４】
フレキシブルプリント基板６２は、第１端が基板６１上に実装されたコネクタ６４を介して基板６１に接続され、第２端が撮像装置１の内部に設けられた主基板（不図示）に接続される。このような構成により、主基板からの電気信号が表示装置２０に伝達される。
【００３５】
スペーサー２５は、モールド樹脂部材によって形成され、保護カバー２３に、保護窓２１の組み付け方向と逆方向から組み付けられている。スペーサー２５は、保護カバー２３とヒンジ装置３０との間に挟まれ、保護カバー２３とヒンジ装置３０との隙間を塞ぐ状態で固定されている。
【００３６】
磁石（磁場発生手段）２６は、保護カバー２３に形成された凹部２３ａに収納され、接着固定されている。後述する磁気センサが磁石２６の位置によって変化する磁束を検出することで、表示装置２０の表示のオンオフ切り替えや表示方向の切り替えが実行される。磁気センサは、一般的に磁束を検出する素子として、巨大磁気抵抗（Ｇｉａｎｔ  Ｍａｇｎｅｔ  Ｒｅｓｉｓｔａｎｃｅ：ＧＭＲ）素子や半導体ホール素子が用いられている。ＧＭＲ素子は、磁気抵抗効果を利用して主面に平行な磁束を検出するデバイスであり、磁束が強いほど電気抵抗が増加する性質を有する合金（具体的には、ニッケル、鉄、コバルトを主成分とする）から構成される。ＧＭＲ素子を判定回路に組み込むことで、ＧＭＲセンサが形成される。本実施例では、磁石２６の位置によって変化する磁束をＧＭＲセンサにて検出し、表示装置２０の表示切り替えを行っている。
【００３７】
次に、図４を参照して、ヒンジ装置３０の構成について説明する。図４は、ヒンジ装置３０の説明図である。図４（ａ）には、説明を分かり易くするために、撮像装置本体１０および表示装置２０も表示されている。図４（ｂ）は、ヒンジ装置３０の一部を拡大した図である。
【００３８】
ヒンジ装置３０は、固定プレート３１、スライドプレート３２、第１のアームプレート３３、および第２のアームプレート（スライド部材）３４を備える。
【００３９】
固定プレート３１は、撮像装置１の背面を覆う背面カバー１３にビス（不図示）によって固定されている。第２のアームプレート３４は、保護カバー２３にビス（不図示）によって固定されている。
【００４０】
スライドプレート３２の両端はコの字状に形成され、両端それぞれにスライドレール３２ａ、３２ｂが嵌入している。スライドプレート３２は、固定プレート３１の両端にスライドレール３２ａ、３２ｂを介してスライド可能に組み付けられる。スライドプレート３２が固定プレート３１に組み付けられた状態では、スライドプレート３２に設けられたピン３２ｃが固定プレート３１に形成された溝３１ａに挿入されている。ピン３２ｃは、図２（ａ）に示される状態では溝３１ａの上端に当接し、図２（ｂ）に示される状態では溝３１ａの下端に当接する。ピン３２ｃが溝３１ａの上下端に当接することで、固定プレート３１に対するスライドプレート３２のスライド可能な範囲が規制される。すなわち、表示装置２０は、ヒンジ装置３０を介して、図２（ａ）に示される状態から図２（ｂ）に示される状態の範囲で、撮像装置１に対して上下にスライド動作可能である。
【００４１】
図４（ｂ）に示されるように、スライドプレート３２、第１のアームプレート３３、および第２のアームプレート３４の両端には、立曲げ部が形成されている。
【００４２】
第１のアームプレート３３および第２のアームプレート３４の立曲げ部の上方にはそれぞれ、回転軸部３３ａおよび回転軸部３４ａが同軸となるように設けられている。回転軸部３３ａ、３４ａは、クリックプレート４２ａ、４２ｂを挟む状態でピン４１ａ、４１ｂによりカシメ固定されている。回転軸部３３ａ、３４ｂはクリックプレート４２ａ、４２ｂからの付勢力と摩擦抵抗力を受け、第２のアームプレート３４は第１のアームプレート３３に対して適度な回転負荷を伴って回転可能に構成され、任意の角度で保持が可能な状態となっている。
【００４３】
スライドプレート３２および第１のアームプレート３３の立曲げ部の下方にはそれぞれ、回転軸部３２ｄおよび回転軸部３３ｂが同軸となるように設けられている。回転軸部３２ｄ、３３ｂは、クリックプレート４４ａ、４４ｂを挟む状態でピン４３ａ、４３ｂによりカシメ固定されている。回転軸部３２ｄ、３３ｂはクリックプレート４４ａ、４４ｂからの付勢力と摩擦抵抗力を受け、第１のアームプレート３３はスライドプレート３２に対して適度な回転負荷を伴って回転可能に構成され、任意の角度で保持が可能な状態となっている。
【００４４】
以下、図５を参照して、ヒンジ装置３０の回転範囲について説明する。図５は、ヒンジ装置３０の回転範囲の説明図である。図５（ａ）は、ヒンジ装置３０を上方に１８０度だけチルトさせた状態を示している。図５（ｂ）は、ヒンジ装置３０を下方に４５度だけチルトさせた状態を示している。
【００４５】
図５（ａ）の状態では、表示装置２０が撮像装置１に当接するとともに、第２のアームプレート３４に設けられた曲げ部３４ｃが第１のアームプレート３３に設けられた凹部３３ｃに当接する。
【００４６】
図５（ｂ）の状態では、表示装置２０が撮像装置１に当接するとともに、第１のアームプレート３３に設けられた曲げ部３３ｄがスライドプレートに設けられた凹部３２ｅに当接する。
【００４７】
以上説明した構成により、表示装置２０はヒンジ装置３０によって撮像装置本体１０に接続され、ヒンジ装置３０を介して撮像装置１に対して上下へのスライド動作、および上方に１８０度、下方に４５度のチルト動作が可能となる。
【００４８】
次に、図６を参照して、電子ビューファインダ５０の支持構成について説明する。図６は、電子ビューファインダ５０の支持構成の説明図である。図６では、説明に不要な部材は表示していない。図６（ａ）は、表示装置２０が図２（ａ）に示される状態の撮像装置１の横断面図を示している。図６（ｂ）は、電子ビューファインダ５０の支持部の展開斜視図である。
【００４９】
電子ビューファインダ５０は、主にガイドプレート５２によって支持されている。ガイドプレート５２は、撮像装置本体１０に設けられたメインシャーシ（不図示）に、上下方向へスライド可能に支持されている。
【００５０】
また、電子ビューファインダ５０は、ガイドプレート５２、レバー（係合部材）５３、チャージプレート５４、およびロックプレート５５等の部材に案内されることで、撮像装置本体１０に収まる収納位置から使用可能な位置に移動することができる。
【００５１】
電子ビューファインダ５０には第１のガイドピン５０ａが設けられ、ガイドプレート５２に形成された第１のガイド溝５２ａに挿通されている。この構成により、電子ビューファインダ５０は、ガイドプレート５２に対して移動可能に支持されている。また、電子ビューファインダ５０は、第１のバネ５０ｂによって撮像装置１の後方側（背面側）に付勢されている。表示装置２０が図６（ａ）に示される状態である場合、ガイドピン５０ａは第１のガイド溝５２ａの縦溝部に係合しており、電子ビューファインダ５０は撮像装置１の内部に保持されている。
【００５２】
レバー５３には第２のガイドピン５３ａが設けられ、ガイドプレート５２に形成された第２のガイド溝５２ｂに挿通されている。この構成により、レバー５３は、ガイドプレート５２に、撮像装置１の前後方向へ移動可能に支持されている。また、レバー５３は、第２のバネ（付勢部材）５３ｂによって撮像装置１の前方側に付勢されている。
【００５３】
チャージプレート５４には第３のガイドピン５４ａが設けられ、ガイドプレート５２に形成された第３のガイド溝５２ｃに挿通されている。この構成により、チャージプレート５４は、ガイドプレート５２に、撮像装置１の上下方向へ移動可能に支持されている。また、チャージプレート５４は、第３のバネ５４ｂによって撮像装置１の上方側に付勢されている。
【００５４】
ロックプレート５５には第４のガイドピン５５ａが設けられ、チャージプレート５４に設けられた第４のガイド溝５４ｃに挿通されている。この構成により、ロックプレート５５は、チャージプレート５４に、撮像装置１の前後方向へ移動可能に支持されている。また、ロックプレート５５は、第４のバネ５５ｂによって撮像装置１の前方側に付勢されている。
【００５５】
レバー５３は、磁性材料で形成され、磁石に吸引される性質を有する。表示装置２０が図６（ａ）に示される状態である場合、レバー５３と、保護カバー２３に接着固定されている磁石２６との距離が近い。このため、第２のバネ５３ｂの付勢力と反対方向の磁石２６による吸引力が、第２のバネ５３ｂの付勢力よりも大きくなり、レバー５３は磁石２６に吸引される（表示ユニット側に移動する）。このとき、レバー５３の先端部５３ｃがヒンジ装置３０を構成する第２のアームプレート３４に形成された孔３４ｄに係合し、レバー５３は表示装置２０の上下方向へのスライド動作に連動して動作可能な状態となっている。この状態ではレバー５３が磁石２６に吸引されているため、表示装置２０のガタが低減される。
【００５６】
以下、図７を参照して、電子ビューファインダ５０の突出動作、および収納動作について説明する。図７は、電子ビューファインダ５０の動作説明図である。図７では、説明に不要な部材は表示していない。
【００５７】
まず、図７（ａ）から図７（ｄ）を参照して、電子ビューファインダ５０の突出動作について説明する。図７（ａ）から図７（ｄ）はそれぞれ、電子ビューファインダ５０が突出していく状態を順に示している。各図の下図は、部分拡大図である。
【００５８】
図７（ａ）は、表示装置２０が図２（ａ）に示される状態の撮像装置１の横断面図を示している。この状態では、第１のガイドピン５０ａは、第１のガイド溝５２ａの縦溝部に係合している。表示装置２０を図７（ａ）の状態から下方にスライドさせると、第２のアームプレート３４に形成された孔３４ｄに係合するレバー５３とともに、ガイドプレート５２、チャージプレート５４、およびロックプレート５５が下方に移動する。
【００５９】
図７（ｂ）は、表示装置２０が下端まで移動した状態の撮像装置１の横断面図を示している。この状態では、第１のガイドピン５０ａは、第１のガイド溝５２ａの横溝部に係合している。また、電子ビューファインダ５０は、第１のバネ５０ｂの付勢力により、撮像装置１の後方側（図の右側）に移動を開始する。
【００６０】
図７（ｃ）は、電子ビューファインダ５０の移動途中に、第１のガイドピン５０ａがロックプレート５５の先端部５５ｃに当接した状態の撮像装置１の横断面図を示している。ロックプレート５５は第４のバネ５５ｂによって撮像装置１の前方側（図の左側）に付勢されているが、第１のバネ５０ｂの付勢力が第４のバネ５５ｂの付勢力に対して大きいため、電子ビューファインダ５０の後方への移動が継続される。
【００６１】
図７（ｄ）は、第１のガイドピン５０ａがガイド溝５２ａの横溝部の端部に当接し、電子ビューファインダ５０の移動が停止した状態の撮像装置１の横断面図を示している。このとき、図２（ｂ）に示されるように、電子ビューファインダ５０は、使用可能な状態となっており、撮影者が電子ビューファインダ５０を押下する等の操作を行わない限り、この状態で安定的に停止する。
【００６２】
以上説明したように、電子ビューファインダ５０の突出動作は、表示装置２０を下方にスライドさせることで開始される。電子ビューファインダ５０は、表示装置２０のスライド動作に連動して突出し、使用可能となる。
【００６３】
次に、図７（ｅ）から図７（ｉ）を参照して、電子ビューファインダ５０の収納動作について説明する。図７（ｅ）から図７（ｉ）はそれぞれ、電子ビューファインダ５０が収納されていく状態を順に示している。各図の下図は、部分拡大図である。
【００６４】
撮影者が図７（ｄ）に示される、使用可能な状態である電子ビューファインダ５０に対して押下操作を行うと、電子ビューファインダ５０は前方への移動を開始する。ロックプレート５５の爪部５５ｅは、電子ビューファインダ５０とともに前方側に移動するが、ガイドプレート５２に設けられた第１のストッパー５２ｄに当接することで停止する。図７（ｅ）は、この状態の撮像装置１の横断面図を示している。
【００６５】
電子ビューファインダ５０が図７（ｅ）の状態からさらに押下された場合、第１のガイドピン５０ａがロックプレート５５の肩部５５ｆから外れる。このとき、ロックプレート５５は、チャージプレート５４を介して上方に付勢されているため、爪部５５ｅがガイドプレート５２に設けられた第２のストッパー５２ｅに当接するまで上方に移動する。図７（ｆ）は、爪部５５ｅが第２のストッパー５２ｅに当接した状態の撮像装置１の横断面図を示している。この状態では、爪部５５ｅが第１のストッパー５２ｄから外れているため、ロックプレート５５は、電子ビューファインダ５０の移動に伴って、再度、前方に移動を開始する。
【００６６】
電子ビューファインダ５０が図７（ｆ）の状態から収納端に到達するまで押下されることで、第１のガイドピン５０ａが第１のガイド溝５２ａの縦溝部に係合する。このとき、爪部５５ｅは第２のストッパー５２ｅを外れているため、ロックプレート５５は爪部５５ｅがガイドプレート５２に設けられた第３のストッパー５２ｆに当接するまで、再度、上方に移動する。図７（ｇ）は、爪部５５ｅが第３のストッパー５２ｆに当接した状態の撮像装置１の横断面図を示している。
【００６７】
以下、電子ビューファインダ５０が収納端まで押下された場合に、撮影者が押下操作を止めて、手を離した場合について説明する。
【００６８】
図７（ｇ）の状態では、爪部５５ｅが第３のストッパー５２ｆに当接している。このため、撮影者が電子ビューファインダ５０から手を離しても爪部５５ｅが第３のストッパー５２ｆの脇に設けられた第４のストッパー５２ｇに当接し、電子ビューファインダ５０は使用位置に戻らずに図７（ｇ）の状態を維持する。撮影者がこの状態から表示装置２０を下端位置から上方にスライド動作させると、第２のアームプレート３４に係合するレバー５３とともに、ガイドプレート５２、チャージプレート５４、およびロックプレート５５が上方に移動する。
【００６９】
図７（ｈ）は、ロックプレート５５の先端部５５ｄが電子ビューファインダ５０に設けられた第５のストッパー５０ｃに当接した状態の撮像装置１の横断面図を示している。この状態からさらに表示装置２０のスライド動作が継続されると、ガイドプレート５２に設けられた第６のストッパー５２ｈが爪部５５ｅに当接する。さらに表示装置２０のスライド動作が継続されると、爪部５５ｅは、たわむことで、第６のストッパー５２ｈを乗り越える。図７（ｉ）は、この状態の撮像装置１の横断面図を示している。
【００７０】
図７（ｉ）の状態は図７（ａ）と同じ状態であり、爪部５５ｅはガイドプレート５２に設けられた第７のストッパー５２ｉに当接している。このため、表示装置２０が下方にスライドされる場合、レバー５３の動作に連動してロックプレート５５もスライドする。
【００７１】
以上説明したように、電子ビューファインダ５０の収納動作は、突出している電子ビューファインダ５０が押下されることで開始される。電子ビューファインダ５０は、収納端まで押下されることで収納される。また、電子ビューファインダ５０が収納された後、表示装置２０を上方にスライドさせることで、表示装置２０で電子ビューファインダ５０を覆い隠した状態に戻すことが可能である。
【００７２】
前述したように、表示装置２０が図２（ａ）や図２（ｂ）に示される状態である場合、レバー５３は、磁石２６に吸引され、表示装置２０のスライド動作に連動して上下方向へ移動可能である。レバー５３の先端部５３ｃは、撮像装置本体１０から突出しているが、表示装置２０によって覆われているため、撮影者が先端部５３ｃに触れることはない。一方、表示装置２０をチルト動作させた場合にレバー５３が撮像装置本体１０から突出したままであると、レバー５３の先端部５３ｃが外部に露出してしまう。この場合、撮影者によってレバー５３が誤操作されてしまったり、上方に１８０度だけチルト動作させた表示装置２０とレバー５３が干渉したりしてしまう。
【００７３】
以下、図８を参照して、表示装置２０をチルト動作させた場合のレバー５３の挙動について説明する。図８は、表示装置２０をチルト動作させた場合のレバー５３の挙動の説明図である。図８では、説明に不要な部材は表示していない。図８（ａ）は、表示装置２０を下方に４５度だけチルトさせた状態を示している。図８（ｂ）は、表示装置２０を上方に１８０度だけチルトさせた状態を示している。
【００７４】
表示装置２０を図２（ａ）に示される状態から下方にチルトさせていくと、磁石２６とレバー５３が離れ、レバー５３に届く磁束が低下していく。このため、所定角度（第２の角度）にて第２のバネ５３ｂの付勢力が磁石２６による吸引力を上回り、レバー５３が撮像装置１の前方側（本体ユニット側）、すなわち撮像装置本体１０内に収納される。図８（ａ）に示されるように、表示装置２０を下方に４５度までチルトさせると、磁石２６とレバー５３がさらに離れ、レバー５３の収納状態が維持される。そのため、撮影者は、レバー５３を触れることができない。
【００７５】
表示装置２０を図２（ａ）に示される状態から上方にチルトさせていくと、磁石２６とレバー５３が離れ、レバー５３に届く磁束が低下していく。このため、所定角度（第３の角度）にて第２のバネ５３ｂの付勢力が磁石２６による吸引力を上回り、レバー５３が撮像装置１の前方側、すなわち撮像装置本体１０内に収納される。図８（ｂ）に示されるように、表示装置２０を上方に１８０度までチルトさせると、磁石２６とレバー５３はあまり離れないが、レバー５３の収納状態が維持される。そのため、レバー５３と表示装置２０との干渉を防止することができる。
【００７６】
以上説明した構成により、レバー５３の誤操作、およびレバー５３と表示装置２０との干渉を防止することが可能となる。
【００７７】
以下、図９を参照して、表示装置２０を動作させた場合の表示装置２０の表示切り替え方法について説明する。図９は、表示装置２０を動作させた場合の表示装置２０の表示切り替え方法の説明図である。図９では、説明に不要な部材は表示していない。図９（ａ）は、表示装置２０が図２（ａ）に示される状態の撮像装置１を示している。図９（ｂ）は、表示装置２０を上方に１８０度だけチルトさせた状態の撮像装置１を示している。図９（ｃ）は、表示装置２０を下端までスライドさせた状態の撮像装置１を示している。
【００７８】
まず、表示装置２０をチルトさせた場合の表示装置２０の表示切り替え方法について説明する。図９（ａ）および図９（ｂ）に示されるように、磁石２６は、保護カバー２３に形成された凹部２３ａに接着固定されている。撮像装置１は、基板（不図示）上に実装された磁気センサ７１、７２を備える。
【００７９】
表示装置２０を図９（ａ）に示される状態から図９（ｂ）に示される状態にチルトさせた場合、表示装置２０が所定位置に到達すると、磁気センサ（第２の検出手段）７１に検出される磁石２６から発せられる磁束が所定値（第２の所定値）より大きくなる。このとき、表示装置２０の表示画像の向きの切り替えが行われる。撮影時には自分撮り撮影に適した上下反転および鏡像表示に切り替えられ、再生時には鏡像表示は行われず上下のみ反転された表示に切り替えられる。
【００８０】
表示装置２０を図９（ｂ）に示される状態から図９（ａ）に示される状態にチルトさせた場合、表示装置２０が所定位置に到達すると、磁気センサ７１に検出される磁石２６から発せられる磁束が所定値より小さくなる。このとき、表示装置２０の表示が通常の向きになるように切り替えが行われる。
【００８１】
以上より、表示装置２０を所定角度（第４の角度）より大きい角度だけチルトさせた場合に、表示装置２０の表示の向きを切り替えることができる。
【００８２】
次に、表示装置２０をスライドさせた場合の表示装置２０の表示切り替え方法について説明する。
【００８３】
表示装置２０を図９（ａ）に示される状態から図９（ｃ）に示される状態にスライドさせた場合、表示装置２０が所定位置に到達すると、磁気センサ（第１の検出手段）７２に検出される磁石２６から発せられる磁束が所定値（第１の所定値）より大きくなる。ここで、所定位置とは、表示装置２０の収納位置から所定量だけスライドした位置である。このとき、表示装置２０の表示が停止し、電子ビューファインダ５０の表示が開始される。
【００８４】
表示装置２０を図９（ｃ）に示される状態から図９（ａ）に示される状態にスライドさせた場合、表示装置２０が所定位置に到達すると、磁気センサ７２に検出される磁石２６から発せられる磁束が所定値より小さくなる。このとき、電子ビューファインダ５０の表示が停止し、表示装置２０の表示が開始される。
【００８５】
以上より、表示装置２０を収納位置から所定量より大きい距離だけスライドさせた場合に、表示装置２０の表示を停止し、電子ビューファインダ５０の表示を開始することができる。そのため、電子ビューファインダ５０を速やかに使用することができる。
【００８６】
前述したように、表示装置２０を下方にスライドさせると、電子ビューファインダ５０が露出し、撮影者側に突出する。その状態で表示装置２０を上方にチルトさせた場合、表示装置２０が電子ビューファインダ５０と干渉し、表示装置２０や電子ビューファインダ５０に傷が付いたり、最悪の場合、故障したりしてしまう。
【００８７】
以下、表示装置２０と電子ビューファインダ５０との干渉を防止する方法について説明する。
【００８８】
まず、図１０を参照して、下方にスライドしている状態の表示装置２０を上方にチルトさせる場合の挙動について説明する。図１０は、下方にスライドしている状態の表示装置２０を上方にチルトさせる場合の挙動の説明図である。図１０では、説明に不要な部材は表示していない。
【００８９】
図１０（ａ）は、表示装置２０を下方にスライドさせた状態の撮像装置１を示している。図１０（ｂ）は、下方にスライドしている状態の表示装置２０を上方にチルトさせた状態の撮像装置１を示している。図１０（ｃ）は、下方にスライドさせていない状態の表示装置２０を上方にチルトさせた状態の撮像装置１を示している。各図の右図は、部分拡大図である。
【００９０】
撮像装置１の本体背面には、図４に示されるように、３つの突起部（規制部材）１３ａが設けられている。突起部１３ａは、背面カバー１３の内面に固定された背面インナー（不図示）に形成された突起形状であり、背面カバー１３に形成された孔に挿通され、外部に露出している。
【００９１】
図１０（ａ）に示される状態では、突起部１３ａはいずれの部材にも当接していない。図１０（ｂ）に示される状態では、３つの突起部１３ａはそれぞれ、保護カバー２３に設けられた立壁の先端部（被当接部）２３ｃに当接する。突起部１３ａと先端部２３ｃが当接することで、表示装置２０の図１０（ｂ）に示される位置から上方へのチルト動作が規制される。
【００９２】
また、図１０（ｃ）に示される状態では、表示装置２０を上方にチルトさせた場合であっても、突起部１３ａはいずれの部材にも当接しない。このため、図１０（ｃ）に示されるように、表示装置２０は、上方に１８０度までチルトすることができる。
【００９３】
以上説明したように、本実施例では、表示装置２０と電子ビューファインダ５０が接触する前に、突起部１３ａが先端部２３ｃに当接する。このため、表示装置２０のチルト動作による、表示装置２０と電子ビューファインダ５０との干渉を防止することができる。
【００９４】
本実施例では、３つの突起部１３ａが設けられ、各突起部は保護カバー２３に設けられた先端部２３ｃに当接する。しかしながら、本発明はこれに限定されない。撮像装置本体１０に設けられた少なくとも１つ以上の突起部が表示装置２０に設けられた被当接部に当接可能であれば、突起部の数、突起部が設けられる位置、および被当接部が設けられる位置に制約はない。
【００９５】
また、突起部１３ａの位置を調整することで、下方にスライドしている状態の表示装置２０を上方にチルトさせる場合のチルト動作が規制される角度（第１の角度）を調整することが可能である。なお、第１の角度は、０度以上の角度である。すなわち、第１の角度は、０度であってもよい。
【００９６】
以下、図１１を参照して、突起部１３ａの位置を上下に調整した場合の表示装置２０の挙動について説明する。図１１は、突起部１３ａの位置を上下に調整した場合の表示装置２０の挙動の説明図である。図１１では、説明に不要な部材は表示していない。
【００９７】
図１１（ａ）は、突起部１３ａの位置を上側に調整した場合の撮像装置１を示している。図１１（ｂ）は、突起部１３ａを下側に調整した場合の撮像装置１を示している。各図の右図は、部分拡大図である。
【００９８】
図１１（ａ）に示される状態では、突起部１３ａは保護カバー２３に設けられた立壁の内壁（被当接部）２３ｂに当接している。突起部１３ａが内壁２３ｂに当接しているため、表示装置２０は図１１（ａ）の状態から上方にチルト動作を行うことができない。
【００９９】
図１１（ｂ）に示される状態では、突起部１３ａは、表示装置２０が図１０（ｂ）に示される状態のチルト動作角より大きいチルト動作角を有する状態で、先端部２３ｃに当接している。このとき、保護カバー２３の最下面が撮像装置本体１０の底面より上に位置している。そのため、撮像装置１を机上に置いたり、三脚を使用したりすることが可能となる。
【０１００】
前述したように、下方にスライドしている状態の表示装置２０を上方にチルトさせた場合、チルト動作が規制され、表示装置２０と電子ビューファインダ５０との干渉が防止できる。一方、電子ビューファインダ５０が突出した状態で、電子ビューファインダ５０を収納方向へ押下することなく表示装置２０を上方にスライドさせると、表示装置２０と電子ビューファインダ５０とが干渉してしまう。
【０１０１】
以下、図１２を参照して、下方にスライドしている状態の表示装置２０を上方にスライドさせる場合の挙動について説明する。図１２は、表示装置２０が下方にスライドした状態で、上方にスライドさせる場合の挙動の説明図である。図１２では、説明に不要な部材は表示していない。
【０１０２】
図１２（ａ）は、表示装置２０が図２（ａ）に示される状態の撮像装置１を示している。図１２（ｂ）は、電子ビューファインダ５０が途中まで突出した状態の撮像装置１を示している。図１２（ｃ）は、電子ビューファインダ５０が使用位置（停止位置）まで突出した状態の撮像装置１を示している。各図の右図は、部分拡大図である。
【０１０３】
電子ビューファインダ５０の下方には、ロックレバー５６が備えられている。撮像装置本体１０に設けられた軸１ａは、ロックレバー５６に形成されたガイド溝５６ｃに挿通されている。このため、電子ビューファインダ５０は、撮像装置本体１０に対し、前後方向へスライド可能に支持されている。また、ロックレバー５６は、第５のバネ５６ｂによって撮像装置１の背面側に付勢されている。表示装置２０が図１２（ａ）に示される状態、すなわち電子ビューファインダ５０が収納状態である場合、ロックレバー５６に設けられた立曲げ部５６ａは電子ビューファインダ５０の下方に設けられた突起部５０ｄに押されている。そのため、電子ビューファインダ５０は、撮像装置本体１０の内部に収納されている。このとき、表示装置２０は、ロックレバー５６に干渉されることなく、上下方向へスライドすることができる。
【０１０４】
図１２（ｂ）に示されるように、表示装置２０を下方にスライドさせることで、電子ビューファインダ５０が突出してきた場合、電子ビューファインダ５０の突起部５０ｄも後方に移動する。このため、ロックレバー５６が第５のバネ５６ｂに付勢されることで後方への移動を開始し、ロックレバー５６の先端部がスライドプレート３２の上端に掛かる位置まで突出する。
【０１０５】
電子ビューファインダ５０が図１２（ｂ）に示す状態から図１２（ｃ）に示す状態まで突出した場合、ガイド溝５６ｃの端に軸１ａが当接することで、ロックレバー５６は図１２（ｂ）の位置以上に突出しない。
【０１０６】
表示装置２０を図１２（ｂ）や図１２（ｃ）に示される状態から上方にスライドさせようとすると、スライドプレート３２の上端がロックレバー５６の先端と干渉し、上方へのスライドにロックが掛かる。このように構成することで、電子ビューファインダ５０が突出している状態で、下方にスライドしている状態の表示装置２０を上方にスライドさせることによる、表示装置２０と電子ビューファインダ５０との干渉を防止することができる。
【０１０７】
前述したように、電子ビューファインダ５０を図１２（ｂ）に示される状態から図１２（ｃ）に示される状態まで突出しても、ロックレバー５６は図１２（ｂ）の位置以上に突出しない。このように構成することで、電子ビューファインダ５０の移動量に対し、ロックレバー５６の移動量を減らし、ロックレバー５６と表示装置２０の内部部品との干渉を防止することができる。また、ロックレバー５６のロックが解除されるタイミングを電子ビューファインダ５０が撮像装置１に収納される状態まで遅らせることが可能となり、表示装置２０と電子ビューファインダ５０との干渉をより効果的に防止することができる。
【０１０８】
以上説明したように、様々な状況においても表示装置２０のチルト動作による表示装置２０と電子ビューファインダ５０との干渉を防止することが可能となる。
【０１０９】
本実施例では、電子ビューファインダ５０が表示装置２０のスライドに連動して突出する構成が用いられているが、本発明はこれに限定されない。電子ビューファインダ５０が別途設けられたレバーや操作ボタンを操作することで突出する構成が用いられてもよい。また、電子ビューファインダ５０自体をつまんで突出させる構成や、押下することで突出する構成が用いられてもよい。
【０１１０】
また、本実施例では、表示装置２０をスライドした領域から電子ビューファインダ５０が露出する構成を用いているが、本発明はこれに限定されない。光学式のファインダやストロボ装置等の他の装置が露出する構成が用いられてもよい。
【実施例２】
【０１１１】
図１３を参照して、表示装置２０の動作について説明する。図１３は、表示装置２０の動作説明図である。
【０１１２】
図１３（ａ）は、表示装置２０が撮像装置１に収納された状態を示している。この状態において、撮影者は正面の被写体を撮影したり、撮影画像の再生表示をしたりすることができる。
【０１１３】
図１３（ｂ）は、表示装置２０を下方にスライドさせた状態を示している。この状態において、撮影者は電子ビューファイン５０を使用することができる。表示装置２０を下方にスライドさせることによって、電子ビューファインダ５０は表示装置２０が存在しなくなった領域に向かうことで、撮像装置１の本体に収まる収納位置から使用可能な位置（使用位置）に突出する。電子ビューファインダ５０は、小型ディスプレイ、レンズ、および接眼窓５１を備えている。撮影者は、接眼窓５１を介して電子ビューファインダ５０を覗くことで、撮影する被写体像の確認をしたり、撮影画像を確認したりすることができる。
【０１１４】
図１３（ｃ）は、表示装置２０を下方にスライドさせた図１３（ｂ）の状態から上方に１８０度チルトさせた状態を示している。この状態では、表示装置２０の表示面が被写体側に向けられ、撮影者は、自分撮り撮影を行いやすくなる。また、表示装置２０は、電子ビューファインダ５０が使用位置へと突出した状態でチルトさせても衝突しないように構成される。これにより、使用者が電子ビューファインダ５０を使用した後、収納位置に移動させることなく、表示装置２０を上方にチルトさせることが可能となる。表示装置２０は、撮像装置本体に対して、図１３（ａ）の状態と図１３（ｃ）の状態との間の任意の角度となるように調整される。このような調整は、主に撮影者が撮像装置１を低く構えて被写体を撮影する場合に行われる。
【０１１５】
図１３（ｄ）は、表示装置２０を下方に４５度だけチルトさせた状態を示している。この状態は、主に撮影者が撮像装置１を高く構えて撮影する場合に用いられる。
【０１１６】
以上説明したように、撮影者に対する撮像装置１の位置が変化した場合であっても、表示装置２０をチルトさせることで表示装置２０の表示面を撮影者の方に向けることが可能となり、撮影者は最適な状態で表示装置２０を視認することが可能となる。さらに、電子ビューファインダ５０を使用位置に突出させた状態においても、使用者が収納位置に移動させることなく、表示装置２０を任意の角度にチルトさせることが可能となる。
【０１１７】
次に、図１４を参照して、表示装置２０の構成について説明する。図１４は、表示装置２０の展開斜視図である。図１４には、説明をわかり易くするために撮像装置本体１０およびヒンジ装置３０も表示されている。
【０１１８】
表示装置２０は、保護窓２１、撮影者が触れることで入力操作が行われる静電容量方式のタッチパネル（不図示）、液晶ディスプレイ２２、およびカバー部材２３を備える。
【０１１９】
保護窓２１は、外形が液晶ディスプレイ２２の外形よりも大きく、液晶ディスプレイ２２およびタッチパネルをキズ・汚れから保護するパネルである。本実施例では、保護窓２１として、厚さが０．５〜１．０ｍｍ程度の強化ガラスを用いているが、光線透過率の高いアクリル樹脂やポリカーボネイト等の透明樹脂を用いてもよい。
【０１２０】
保護窓２１は、タッチパネルおよび液晶ディスプレイ２２と一体の状態で、外周に沿って形成されたロの字型の両面テープ２４によってカバー部材２３に接着されている。カバー部材２３は、表示装置２０の周囲を覆い、表示装置２０を保護する外観部品である。
【０１２１】
タッチパネルは、静電容量方式であり、タッチパネルの配線は、透明導電膜であるＩＴＯ（Ｉｎｄｉｕｍ  Ｔｉｎ  Ｏｘｉｄｅ）によって形成される。タッチパネルは、一般にはガラスで形成されるが、透明であり、ＩＴＯのアニール等の温度に耐えることが可能であれば樹脂材料で形成されてもよい。透明樹脂材料として、例えば、アクリル樹脂やポリカーボネイト樹脂等を使用することができる。
【０１２２】
液晶ディスプレイ２２の背面には、基板６１が両面テープ（不図示）によって貼付固定されている。基板６１は、基板６１上に実装されたコネクタを介して、液晶ディスプレイ２２に設けられたフレキシブルプリント基板２２ａに接続される。
【０１２３】
フレキシブルプリント基板６２は、第１端が基板６１上に実装されたコネクタを介して基板６１に接続され、第２端が撮像装置１の内部に設けられた主基板（不図示）に接続される。このような構成により、主基板からの電気信号が表示装置２０に伝達される。
【０１２４】
スペーサー２５は、モールド樹脂部材によって形成され、カバー部材２３に、保護窓２１の組み付け方向と逆方向から組み付けられている。スペーサー２５は、カバー部材２３と後述するスライドプレート２７との間に挟まれ、カバー部材２３とスライドプレート２７との隙間を塞ぐ状態で固定されている。
【０１２５】
磁石（磁場発生手段）２６は、カバー部材２３に形成された凹部２３ａに収納され、接着固定されている。後述する磁気センサが磁石２６の位置によって変化する磁束を検出することで、表示装置２０の表示のオンオフ切り替えや表示方向の切り替えが実行される。磁気センサは、一般的に磁束を検出する素子として、巨大磁気抵抗（Ｇｉａｎｔ  Ｍａｇｎｅｔ  Ｒｅｓｉｓｔａｎｃｅ：ＧＭＲ）素子や半導体ホール素子が用いられている。ＧＭＲ素子は、磁気抵抗効果を利用して主面に平行な磁束を検出するデバイスであり、磁束が強いほど電気抵抗が増加する性質を有する合金（具体的には、ニッケル、鉄、コバルトを主成分とする）から構成される。ＧＭＲ素子を判定回路に組み込むことで、ＧＭＲセンサが形成される。本実施例では、磁石２６の位置によって変化する磁束をＧＭＲセンサにて検出し、表示装置２０の表示切り替えを行っている。
【０１２６】
スライドプレート２７は、ヒンジ装置３０に対してスライド動作可能に保持され、板金材料によって形成される部品であり、スペーサー２５を間に挟んだ状態で、カバー部材２３に対してビス止め固定される。
【０１２７】
クリックプレート２８は、スライドプレート２７に固定され、板バネ形状を有した板金部品であり、表示装置２０のスライド動作時に収納位置およびスライド位置の両方においてクリック感を出すように構成される。
【０１２８】
スライダー機構２９は、スペーサー２５とスライドプレート２７の間に配置され、表示装置２０のスライド動作時にフレキシブルプリント基板６２がたるまないように所定の方向へ付勢する。
【０１２９】
次に、図１５および図１６を参照して、ヒンジ装置３０の構成について説明する。図１５は、ヒンジ装置３０の展開斜視図である。図１５には、説明をわかり易くするために、撮像装置本体１０および表示装置２０も表示されている。図１６は、ヒンジ装置３０の一部を拡大した図である。
【０１３０】
ヒンジ装置３０は、ベースプレート（第１ヒンジ部材）３１、アームプレート（第２ヒンジ部材）３２、ヒンジカバー３３、およびスタンドプレート３４、３５を備える。ベースプレート３１およびアームプレート３２の両端には、たち曲げ部が形成されている。スタンドプレート３４、３５は、撮像装置１の背面を覆う背面カバー１３に対して、ビス（不図示）により固定される。
【０１３１】
ベースプレート３１のたち曲げ部の下方には、回動軸部３１ｃが設けられている。スタンドプレート３４のたち曲げ部には回動軸部３４ａが設けられている。スタンドプレート３５のたち曲げ部には回動軸部３５ａが設けられている。スタンドプレート３４ａは、回動軸部３４ａが回動軸部３１ｃと同軸となるようにベースプレート３１に組み付けられる。スタンドプレート３５は、回動軸部３５ａが回動軸部３１ｃと同軸となるようにベースプレート３１に組み付けられる。回動軸部３１ｃ、３４ａは、クリックプレート４４ａを挟む状態でピン４３ａにより加締め固定される。回動軸部３１ｃ、３５ａは、クリックプレート４４ｂを挟む状態でピン４３ｂにより加締め固定される。回動軸部３１ｃはクリックプレート４４ａ、４４ｂからの付勢力と摩擦抵抗力を受け、ベースプレート３１はスタンドプレート３４、３５に対して適度な回動負荷を伴って回動可能に構成され、任意の角度で保持が可能な状態となっている。
【０１３２】
ベースプレート３１およびアームプレート３２のたち曲げ部の上方にはそれぞれ、回動軸部３１ｂおよび回動軸部３２ｆが組付け時に同軸となるように設けられている。回動軸部３１ｂ、３２ｆは、クリックプレート４２ａ、４２ｂを挟む状態でピン４１ａ、４１ｂにより加締め固定されている。回動軸部３１ｂ、３２ｆはクリックプレート４２ａ、４２ｂからの付勢力と摩擦抵抗力を受け、アームプレート３２はベースプレート３１に対して適度な回動負荷を伴って回動可能に構成され、任意の角度で保持が可能な状態となっている。
【０１３３】
アームプレート３２のたち曲げ部の上方の両側には、板金のエッジを保護するためのヒンジカバー３３ａ、３３ｂが固定される。アームプレート３２の両端はコノ字状に形成され、両端それぞれにスライドレール３２ａ、３２ｂが嵌入している。スライドプレート２７は、スライドレール３２ａ、３２ｂを介して上下方向へスライド動作可能に組み付けられる。アームプレート３２には、スライドピン３２ｃが固定されている。スライドピン３２ｃは、クリックプレート２８に対して係合した状態でスライド動作可能である。
【０１３４】
また、アームプレート３２には、ヨークプレート３２ｄが固定されている。ヨークプレート３２ｄは、表示装置２０をスライドした状態において、磁石２６に対して吸引力を発生させる。ベースプレート３１およびアームプレート３２にはそれぞれ、フレキガード３１ａ、３２ｅが設けられている。フレキガード３１ａ、３２ｅは、フレキシブルプリント基板６２を覆っている。
【０１３５】
次に、図１７を参照して、表示装置２０の動作範囲について説明する。図１７は、表示装置２０の動作範囲の説明図である。図１７(ａ)は、表示装置２０を下方にスライド動作させた状態を示している。図１７（ｂ）は、表示装置２０を下方にスライド動作させた状態から上方に１８０度チルトさせた状態を示している。図１７（ｃ）は、表示装置２０を下方に４５度チルトさせた状態を示している。
【０１３６】
図１７（ａ）の状態では、スライドプレート２７がヒンジ装置３０に対してスライドすることで、表示装置２０は撮像装置本体１０に対して下方にスライドして停止している。このとき、カバー部材２３の当接部（不図示）がアームプレート３２の端面（不図示）に対して当接することで、表示装置２０の位置が決まる。図１７（ａ）の状態では、ヒンジ装置３０は、撮像装置本体１０に対してスライドしていない。
【０１３７】
図１７（ｂ）の状態では、表示装置２０が撮像装置本体１０に当接するとともに、アームプレート３２に設けられた曲げ部３２ｇがベースプレート３１に設けられた凹部３１ｅに当接する。
【０１３８】
図１７（ｃ）の状態では、ベースプレート３１に設けられた曲げ部３１ｄがスタンドプレート３４に設けられた凹部３４ｂに当接する。
【０１３９】
以上説明した構成により、表示装置２０はヒンジ装置３０に対して上下方向へスライド動作可能であり、ヒンジ装置３０は撮像装置本体１０に対して、上方に１８０度、下方に４５度のチルト動作可能である。
【０１４０】
次に、図１８および図１９を参照して、スライド機構について説明する。図１８は、スライドプレート２７のアームプレート３２に対するスライド動作時の動作説明図である。図１９は、表示装置２０がスライドした状態でチルトした場合の電子ビューファインダ５０に対する回転軌跡を表す断面図である。
【０１４１】
図１８（ａ）は、表示装置２０が収納位置に位置する場合の状態を示している。図１８（ｂ）は、表示装置２０を下方にスライドさせた状態（図１７（ａ）の状態）を示している。図１８（ｃ）は、表示装置２０を下方にスライドさせたときのクリックプレート２８およびスライドピン３２ｃの拡大図である。
【０１４２】
図１８（ａ）において、表示装置２０は収納位置に位置するため、スライドプレート２７は収納位置で停止している。このとき、クリックプレート２８とスライドピン３２ｃはチャージされており、スライドプレート２７を上方に付勢する力が発生している。これにより、カバー部材２３はアームプレート３２の端面（不図示）に当接して停止し、収納位置に引き込む付勢力が発生している。
【０１４３】
図１８（ｂ）において、表示装置２０はスライド位置に位置するため、スライドプレート２７は撮像装置本体１０に対して下方にスライドした位置で停止している。このとき、スライドプレート２７を下方に付勢する力が発生している。これにより、カバー部材２３はアームプレート３２の端面（不図示）に当接して停止し、スライド位置に引き込む付勢力が発生している。
【０１４４】
図１８（ｃ）に示されるように、クリックプレート２８とスライドピン３２ｃは板バネ形状により、収納位置およびスライド位置の両方の位置において引き込む方向へ付勢する。スライド動作時の途中の位置においては、適度な負荷が発生するように、クリックプレート２８が変形してスライドピン３２ｃに対して摩擦力が発生する。
【０１４５】
図１９に示されるように、表示装置２０は、スライド位置から回動中心７０を中心に上方へのチルト回動動作を行う。カバー部材２３の端部２３ｂは、表示装置２０のチルト回動動作時に、撮像装置本体１０から背面に突出した電子ビューファインダ５０に接触しないようにクリアランスを確保した状態の軌跡を描くように構成されている。回動中心７０から端部２３ｂまでの距離ｒ（表示装置２０のスライド量）は、電子ビューファインダ５０の突出量によって設定される。このとき、不用意にスライド量を大きく設定すると、表示装置２０に外力が加わった際の強度が確保できなくなる懸念があるため、距離ｒは表示装置２０が電子ビューファインダ５０に接触することを防止できる必要最小限のクリアランスに設定すればよい。
【０１４６】
図１８（ｂ）のスライドプレート２７の停止位置において、表示装置２０は電子ビューファインダ５０と適度なクリアランスを確保したスライド量であり、クリックプレート２８による付勢力によって不用意にスライド移動して衝突するのを防止することができる。
【０１４７】
次に、図２０および図２１を参照して、表示装置２０のスライド動作時のフレキシブルプリント基板６２のたるみを抑制するためのスライダー機構２９について説明する。図２０は、スライダー機構２９の動作説明図である。図２１は、スライダー機構２９の断面図である。
【０１４８】
図２０（ａ）は、表示装置２０がスライド動作した場合の内部の状態を示している。スライダー機構２９のうち、フレキシブルプリント基板６２に挟み込まれるように内部で接するスライダー（スライド部材）２９ａは、２つの引っ張りバネ２９ｂによって下方に付勢されている。スライダー２９ａは、表示装置２０内において、上下方向へスライド移動可能に保持されている。図２０（ａ）の状態において、引っ張りバネ２９ｂは最も伸びた状態となる。フレキシブルプリント基板６２は、スライダー２９ａを介して下方に引っ張られて停止している。図２０（ａ）の状態において、フレキシブルプリント基板６２に加わるテンションは最も大きい状態であり、スライダー２９ａは表示装置２０内で最も上方に移動した状態となる。
【０１４９】
図２０（ｂ）は、表示装置２０が収納位置に位置する場合の内部の状態を示している。図２０（ｂ）の状態において、引っ張りバネ２９ｂは最も縮んだ状態となる。フレキシブルプリント基板６２は、スライダー２９ａを介して下方に引っ張られて停止している。図２０（ｂ）の状態において、フレキシブルプリント基板６２に加わるテンションは最も小さい状態であり、スライダー２９ａは表示装置２０内で最も下方に移動した状態となる。
【０１５０】
図２１（ａ）は、表示装置２０がスライド位置に位置する状態を示している。表示装置２０の内部から続くフレキシブルプリント基板６２は下方に延びたあと、スライダー２９ａに接触しながら上方に折り返される。アームプレート３２に沿って上方に延びたフレキシブルプリント基板６２は、再び下方に折り返される。フレキシブルプリント基板６２は、さらに下方に延びた後、撮像装置本体１０の開口部１０ａから内部に挿入され、不図示の主基板（電子基板）に接続される。図２１（ａ）において、フレキシブルプリント基板６２は、スライダー２９ａに接触する折り返し部において下方に引っ張られて停止している。このとき、引っ張りバネ２９ｂによる付勢力は、最も大きくなる。
【０１５１】
図２１（ｂ）は、表示装置２０が収納位置に位置する状態を示している。この状態において、フレキシブルプリント基板６２は、図２１（ａ）の場合と同様に折り返され、撮像装置本体１０の内部に挿入されている。スライダー２９ａの位置は上方に移動しているため、引っ張りバネ２９ｂによる付勢力は最も小さくなる。
【０１５２】
次に、図２２を参照して、スライダー機構２９に、回転ローラを追加した場合について説明する。図２２は、スライダー機構２９の構成説明図である。
【０１５３】
図２２（ａ）に示されるように、スライダー２９ａはスペーサー２５に対して上下方向へスライド移動可能に保持されている。引っ張りバネ２９ｂの第１端はスペーサー２５の爪部２５ａに対して係止され、第２端はスライダー２９ａに対して係止される。これにより、スライダー２９ａは表示装置２０内において、上下方向へスライド可能に保持され、引っ張りバネ２９ｂによって下方に付勢される。
【０１５４】
図２２（ｂ）は、スライダー機構２９の内部構造を説明する断面図である。スライダー２９ａの中央部には折りたたまれたフレキシブルプリント基板６２の内周面に接するように回転ローラ２９ｃが配置されている。回転ローラ２９ｃは、スライダー２９ａに対して回転可能に保持され、表示装置２０のスライド移動時にフレキシブルプリント基板６２との摩擦抵抗によって回転を行う。
【０１５５】
表示装置２０のスライド移動時にスライダー２９ａが上下移動する際、回転ローラ２９ｃが回転することで、フレキシブルプリント基板６２に加わる摺動負荷を減らすことができる。これにより、フレキシブルプリント基板６２へのダメージを軽減して、内部配線の断線等の不具合を防止することができる。
【０１５６】
このように、スライダー機構２９によって、表示装置２０をスライド動作させる際のフレキシブルプリント基板６２のたるみを防止するとともに、摺動負荷による配線の断線等の不具合を防止することが可能となる。
【０１５７】
以上説明したように、表示装置２０のスライド時には、ヒンジ装置（チルトの回動中心）を移動せずにスライドさせることで、上方に１８０度チルト回動させる際に、背面へと突出した電子ビューファインダ５０との干渉を防止することが可能となる。また、表示装置２０の内部にスライド時の引き込み機構を設けることで、表示装置２０を収納位置とスライド位置とのそれぞれに確実に引き込んで停止することが可能となる。さらに、表示装置２０内にフレキシブルプリント基板６２のスライダー機構２９を設けることで、スライド移動時のフレキシブルプリント基板６２のたるみおよび断線を防止することが可能となる。
【０１５８】
本実施例では、電子ビューファインダ５０の突出する構成について、手動で動作させることを想定しているが、本発明はこれに限定されない。表示装置２０のスライド動作に連動して電子ビューファインダ５０が突出する構成や、別途設けられたレバーや操作ボタンを操作することで突出する構成が用いられてもよい。
【０１５９】
また、本実施例では、表示装置２０をスライドした領域から電子ビューファインダ５０が露出する構成を用いているが、本発明はこれに限定されない。光学式のファインダや他の装置が露出する構成が用いられてもよい。
【０１６０】
以上、本発明の好ましい実施形態について説明したが、本発明はこれらの実施形態に限定されず、その要旨の範囲内で種々の変形及び変更が可能である。
【符号の説明】
【０１６１】
１        撮像装置（電子機器）
１０      撮像装置本体（本体ユニット）
２０      表示装置（第１の表示ユニット）
５０      電子ビューファインダ（第２の表示ユニット）
【図１】
2018148554.tif 000003
【図２】
2018148554.tif 000004
【図３】
2018148554.tif 000005
【図４】
2018148554.tif 000006
【図５】
2018148554.tif 000007
【図６】
2018148554.tif 000008
【図７】
2018148554.tif 000009
【図８】
2018148554.tif 000010
【図９】
2018148554.tif 000011
【図１０】
2018148554.tif 000012
【図１１】
2018148554.tif 000013
【図１２】
2018148554.tif 000014
【図１３】
2018148554.tif 000015
【図１４】
2018148554.tif 000016
【図１５】
2018148554.tif 000017
【図１６】
2018148554.tif 000018
【図１７】
2018148554.tif 000019
【図１８】
2018148554.tif 000020
【図１９】
2018148554.tif 000021
【図２０】
2018148554.tif 000022
【図２１】
2018148554.tif 000023
【図２２】
2018148554.tif 000024